(57)【要約】【課題】本発明の目的は、物体に簡単に取り付けることができ、且つシートを物体に簡単に固定することができるシート固定具を提供することである。【解決手段】本発明は、固定具本体４と、前記固定具本体４の一面１６に埋設されて永久磁石２０の磁着面を露出させた磁石体１８と、前記固定具本体４の他面５に設けられてシートの一部を係止する係止手段６とから構成され、前記シートにより一部が覆われる物体の磁着部に前記磁石体１８を磁着させて前記固定具本体４を前記物体に固定し、前記シートの一部を前記係止手段６に係止させて前記物体に前記シートを着脱自在に固定するシート固定具２である。【選択図】図１
2012200311.tif 000002
【特許請求の範囲】
【請求項１】
固定具本体と、前記固定具本体の一面に埋設されて永久磁石の磁着面を露出させた磁石体と、前記固定具本体の他面に設けられてシートの一部を係止する係止手段とから構成され、前記シートにより一部が覆われる物体の磁着部に前記磁石体を磁着させて前記固定具本体を前記物体に固定し、前記シートの一部を前記係止手段に係止させて前記物体に前記シートを着脱自在に固定することを特徴とするシート固定具。
【請求項２】
前記係止手段は、相互に近設され弾力性を有する複数の係止片からなり、前記係止片の間に前記シートの一部を挿入してロックする請求項１に記載のシート固定具。
【請求項３】
前記磁石体が前記永久磁石と金属製の磁石取付部材からなり、前記永久磁石が前記磁着面の磁力と前記磁石取付部材を介して作用する磁力により前記物体に磁着する請求項１又は２に記載のシート固定具。
【請求項４】
前記固定具本体に前記磁石体を埋設させる磁石体埋設溝が設けられ、前記磁石取付部材の底板から側方に突起を突出させ、前記磁石体埋設溝は、開口面に開放された小径埋設溝と前記小径埋設溝の底位置から下方に段差面を介して設けられた大径埋設溝から形成され、前記段差面から前記大径埋設溝の内方側に形成される嵌合溝に前記突起を配置して、前記段差面との押接により前記突起を取出し不能にした請求項３に記載のシート固定具。
【請求項５】
指先を挿入する取外用凹部が前記固定具本体の側面に設けられ、前記取外用凹部に前記指先を挿入させて前記物体に磁着する前記固定具本体を把持し、前記物体から前記シート固定具を取外すことができる請求項１〜４のいずれかに記載のシート固定具。
【請求項６】
前記取外用凹部が前記固定具本体の両側面に設けられ、前記両側面間の幅が片手で把持できる程度の大きさである請求項５に記載のシート固定具。
【請求項７】
前記磁着部が前記物体を構成する金属部材である請求項１〜６のいずれかに記載のシート固定具。
【請求項８】
固定具本体部を形成する本体部形成工程と、前記固定具本体部の一面に形成された大径埋設溝に突起が底板から側方に突出する磁石取付部材を配設する磁石取付部材配設工程と、永久磁石が露出する小径埋設溝が設けられた表面樹脂層を前記一面上に形成して前記永久磁石と前記磁石取付部材からなる磁石体を埋設する磁石体埋設工程と、前記固定具本体部の他面に形成された凹所にシートの一部を係止する係止手段を嵌め込む係止手段嵌込工程とを含み、前記磁石体埋設工程において、前記小径埋設溝が前記磁石取付部材に取付けられた前記永久磁石が露出するよう前記大径埋設溝の上方に段差面を介して連設され、且つ前記突起が前記段差面から前記大径埋設溝の内方側に形成される嵌合溝に配置され、前記段差面との押接により前記突起が取出し不能にされることを特徴とするシート固定具製造方法。
【発明の詳細な説明】
【技術分野】
【０００１】
本発明は、シートを物体に固定するシート固定具に関し、より詳細には、テーブル等の物体にこれを覆うためのシートを着脱自在に固定するシート固定具及びその製造方法に関する。
【背景技術】
【０００２】
シート固定具として、テーブルにテーブルクロス等を固定する従来の固定具があり、実開昭６３−４７７７０号公報（特許文献１）及び実公昭６２−４２３０号公報（特許文献２）に記載されている。特許文献１には、「テーブルクロス止め具」と称される従来のシート固定具として、パーティー用のテーブル等にテーブルクロスやテーブルスカート等を取付けるための止め具が記載されている。
【０００３】
図７は、特許文献１に記載される従来のシート固定具の使用状態を示す概略図である。前述のように、特許文献１に記載される従来のシート固定具は、「テーブルクロス止め具」と称され、テーブルクロス止め具１０２を用いて、テーブル１５６にテーブルクロス１３４及びテーブルスカート１６０が取付けられている。図７では、テーブル１５６の上面にテーブルクロス１３４が広げられ、その縁がテーブル１５６の側面に沿って折り返されて、止め具１０２によりテーブル１５６の端部と共に挟み込まれている。テーブルスカート１６０の内側にはベリクロファスナ１６７が設けられ、このベリクロファスナ１６７が止め具１０２のベリクロファスナ１０６に係止される。即ち、止め具１０２により、テーブル１５６にテーブルクロス１３４及びテーブルスカート１６０が取付けられる。
【０００４】
特許文献２には、特許文献１と同様のテーブルクロス用スカート取付具が記載されている（図示せず）。特許文献２において、特許文献１のテーブルクロス止め具に相当するテーブルクロス用スカート取付具は、テーブルの側面にテーブルクロスと共に釘で固定され、テーブルスカートに取付けられたピンを前記スカート取付具に掛止させ、テーブルにテーブルスカートとテーブルクロスを固定している。
特許文献１及び２では、テーブルスカートがテーブルクロスとは分離された別部材であった。特開２００４−７３３８２号公報（特許文献３）には、テーブルとこのテーブル上に広げたテーブルクロスを共に挟むことにより、テーブルクロスを固定する固定装置が記載されている。
【先行技術文献】
【特許文献】
【０００５】
【特許文献１】実開昭６３−４７７７０号公報
【特許文献２】実公昭６２−４２３０号公報
【特許文献３】特開２００４−７３３８２号公報
【発明の概要】
【発明が解決しようとする課題】
【０００６】
前述のように、図７に示した特許文献１のテーブルクロス止め具１０２では、テーブルクロス止め具１０２自体をテーブル１５６に固定することが極めて手間の掛かる作業であった。更に、テーブルスカート１６０が分離されており、テーブルクロス１３４のみを用いてテーブルスカート１６０を設けることができなかった。また、テーブルクロス止め具１０２の上部がテーブル１５６の端から露出し、見栄えを悪くしていた。
特許文献２に記載されるテーブルクロス用スカート取付具においても、テーブルの側面にテーブルクロスと共に釘で固定されるから、取付具自体の取り付けが手間の掛かる作業であり、さらにテーブルに釘を刺すことから、テーブルクロスの交換等も手間の掛かる作業となっていた。
また、特許文献３に記載される固定装置では、テーブルとこのテーブル上に広げたテーブルクロスを共に挟むことから、見栄えを悪くし、スカート等により化粧をすることの意味を失わせていた。
【０００７】
従って、本発明の目的は、物体に簡単に取り付けることができ、且つシートを物体に簡単に固定することができ、更に、本体がシートの外側に露出することがないシート固定具を提供することである。
【課題を解決するための手段】
【０００８】
本発明は、上記課題を解決するために発明されたものであり、本発明の第１の形態は、固定具本体と、前記固定具本体の他面に埋設されて永久磁石の磁着面を露出させた磁石体と、前記固定具本体の一面に設けられてシートの一部を係止する係止手段とから構成され、前記シートにより一部が覆われる物体の磁着部に前記磁石体を磁着させて前記固定具本体を前記物体に固定し、前記シートの一部を前記係止手段に係止させて、前記物体に前記シートを着脱自在に固定するシート固定具である。
【０００９】
本発明の第２の形態は、第１の形態において、前記係止手段は、相互に近設され弾力性を有する複数の係止片からなり、前記係止片の間に前記シートの一部を挿入してロックするシート固定具である。
【００１０】
本発明の第３の形態は、第１又は第２の形態において、前記磁石体が前記永久磁石と金属製の磁石取付部材からなり、前記永久磁石が前記磁着面の磁力と前記磁石取付部材を介して作用する磁力により前記物体に磁着するシート固定具である。
【００１１】
本発明の第４の形態は、第３の形態において、前記固定具本体に前記磁石体を埋設させる磁石体埋設溝が設けられ、前記磁石取付部材の底板から側方に突起を突出させ、前記磁石体埋設溝は、開口面に開放された小径埋設溝と前記小径埋設溝の底位置から下方に段差面を介して設けられた大径埋設溝から形成され、前記段差面から前記大径埋設溝の内方側に形成される嵌合溝に前記突起を配置して、前記段差面との押接により前記突起を取出し不能にしたシート固定具である。
【００１２】
本発明の第５の形態は、第１〜第４のいずれかの形態において、指先を挿入する取外用凹部が前記固定具本体の側面に設けられ、前記取外用凹部に前記指先を挿入させて前記物体に磁着する前記固定具本体を把持し、前記物体から前記シート固定具を取外すことができるシート固定具である。
【００１３】
本発明の第６の形態は、第５の形態において、前記取外用凹部が前記固定具本体の両側面に設けられ、前記両側面間の幅が片手で把持できる程度の大きさであるシート固定具である。
【００１４】
本発明の第７の形態は、第１〜第６のいずれかの形態において、前記磁着部が前記物体を構成する金属部材であるシート固定具である。
【００１５】
本発明の第８の形態は、固定具本体部を形成する本体部形成工程と、前記固定具本体部の他面に形成された大径埋設溝に突起が底板から側方に突出する磁石取付部材を配設する磁石取付部材配設工程と、永久磁石が露出する小径埋設溝が設けられた表面樹脂層を前記他面上に形成して前記永久磁石と前記磁石取付部材からなる磁石体を埋設する磁石体埋設工程と、前記固定具本体部の一面に形成された凹所にシートの一部を係止する係止手段を嵌め込む係止手段嵌込工程とを含むから、前記磁石体埋設工程において、前記小径埋設溝が前記磁石取付部材に取付けられた前記永久磁石が露出するよう前記大径埋設溝の上方に段差面を介して連設され、且つ前記突起が前記段差面から前記大径埋設溝の内方側に形成される嵌合溝に配置され、前記段差面との押接により前記突起が取出し不能にされるシート固定具製造方法である。
【発明の効果】
【００１６】
本発明の第１の形態によれば、固定具本体と、前記固定具本体の一面に埋設されて永久磁石の磁着面を露出させた磁石体と、前記固定具本体の他面に設けられてシートの一部を係止する係止手段とから構成され、前記シートにより一部が覆われる物体の磁着部に前記磁石体を磁着させて、前記固定具本体を前記物体に固定するから、シート固定具の着脱を簡単に行うことができる。前記磁着部は、永久磁石が磁着する物質から形成される部材であれば良く、鉄などの強磁性体から形成されることがより好ましい。従って、永久磁石が磁着する部材であれば、前記物体の所望の部位を磁着部とすることができ、物体及びシートの大きさや形状と共に、物体をシートで覆う目的に応じて、前記磁石体を前記磁着部に磁着させることができる。
更に、前記シートの一部を前記係止手段に係止させて前記物体に前記シートを着脱自在に固定するから、前記シートの着脱を簡単に行うことができる。また、永久磁石が磁着する部材であれば、所望の部位を磁着部とすることができることから、好適な位置にシートを固定し、且つシートを容易に取外すことができる。前記係止手段としては、バインダ、面ファスナ、線ファスナ等を利用することができる。柔軟性を有するシート状のものであれば、磁着部を有する物体に種々のシートを固定することができ、例えば、テーブルクロスをテーブルに、自動車用のボディーカバーを自動車に固定することができる。
【００１７】
本発明の第２の形態によれば、前記係止手段は、相互に近設され弾力性を有する複数の係止片からなり、前記係止片の間に前記シートの一部を挿入してロックするから、前記シートの着脱をより簡単に行うことができる。弾力性を有する複数の係止片の間にシートの一部を押し込むことにより、それらの復元力によって前記シートが係止片の間に挟持され、前記複数の係止片に前記シートを係止することができる。係止するための特別な部材をシートに付設する必要がなく、前記シートの一部を前記係止片の間に押し込むだけで、前記シートをロックして物体に固定することができる。
【００１８】
本発明の第３の形態によれば、前記磁石体が前記永久磁石と金属製の磁石取付部材からなり、前記永久磁石が前記磁着面の磁力と前記磁石取付部材を介して作用する磁力により前記物体に磁着するから、前記永久磁石の磁力を高効率に利用して前記物体にシート固定具を磁着させることができる。前記永久磁石から生じた磁界により、前記永久磁石が取付けられた金属製の磁石取付部材の内部には磁気回路が形成され、前記磁着部に作用する磁力を集中させることができる。即ち、前記永久磁石から生じる磁界が前記磁石取付部材の外側に漏れることが抑制され、前記磁石取付部材内の磁気回路に集中する。
【００１９】
本発明の第４の形態によれば、前記固定具本体に前記磁石体を埋設させる磁石体埋設溝が設けられ、前記磁石取付部材の底板から側方に突起を突出させ、前記磁石体埋設溝は、開口面に開放された小径埋設溝と前記小径埋設溝の底位置から下方に段差面を介して設けられた大径埋設溝から形成され、前記段差面から前記大径埋設溝の内方側に形成される嵌合溝に前記突起を配置して、前記段差面との押接により前記突起を取出し不能にするから、前記固定具本体に前記磁石体を強固に固定して埋設することができる。永久磁石の磁力が強力でシート固定具と物体の磁着力が強い場合や長期間使用した場合においても、前記段差面との押接により前記磁石取付部材の前記突起が取出し不能に設けられるから、固定具本体を物体から取外す際に、磁石体が固定具本体から脱離することを防止することができる。
【００２０】
本発明の第５の形態によれば、指先を挿入する取外用凹部が前記固定具本体の側面に設けられ、前記取外用凹部に前記指先を挿入させて前記物体に磁着する前記固定具本体を把持するから、前記物体から前記シート固定具を容易に取外すことができる。永久磁石の磁力が強力でシート固定具と物体との磁着力が強い場合、前記固定具本体が使用者にとって把持し難い場所に磁着されている場合などにおいても、前記取外用凹部に指を挿入して前記固定具本体を確実に把持して、シート固定具を取外すことができる。
【００２１】
本発明の第６の形態によれば、前記取外用凹部が前記固定具本体の両側面に設けられ、前記両側面間の幅が片手で把持できる程度の大きさであるから、使用者が片手で前記固定具本体を把持し、簡単にシート固定具の着脱を行うことができる。
【００２２】
本発明の第７の形態によれば、前記磁着部が前記物体を構成する金属部材であるから、前記物体にシート固定具をより確実に磁着することができる。即ち、前記磁着部が金属製であることから、前記磁着部は強磁性体又は常磁性体からなり、より強固に磁石体を磁着することができる。
【００２３】
本発明の第８の形態によれば、固定具本体部を形成する本体部形成工程と、前記固定具本体部の他面に形成された大径埋設溝に突起が底板から側方に突出する磁石取付部材を配設する磁石取付部材配設工程と、永久磁石が露出する小径埋設溝が設けられた表面樹脂層を前記他面上に形成して前記永久磁石と前記磁石取付部材からなる磁石体を埋設する磁石体埋設工程と、前記固定具本体部の一面に形成された凹所にシートの一部を係止する係止手段を嵌め込む係止手段嵌込工程とを含み、前記磁石体埋設工程において、前記小径埋設溝が前記磁石取付部材に取付けられた前記永久磁石が露出するよう前記大径埋設溝の上方に段差面を介して連設され、且つ前記突起が前記段差面から前記大径埋設溝の内方側に形成される嵌合溝に配置されるから、前記段差面との押接により前記突起を取出し不能とすることができる。従って、永久磁石の磁力が強力でシート固定具と物体の磁着力が強い場合や長期間使用した場合においても、固定具本体を物体から取外す際に、磁石体が固定具本体から脱離することを防止することができる。
【図面の簡単な説明】
【００２４】
【図１】図１は、本発明に係るシート固定具の斜視概略図である。
【図２】図２は、本発明に係る磁石体の構成概略図である。
【図３】図３は、本発明に係る固定具本体における磁石体の埋設構造を示す概略図である。
【図４】図４は、本発明に係るシート固定具の断面概略図である。
【図５】図５は、本発明に係るシート固定具の製造工程を示した概略図である。
【図６】図６は、本発明に係るシート固定具の使用状態を示す概略図である。
【図７】図７は、従来のシート固定具の使用状態を示す概略図である。
【発明を実施するための形態】
【００２５】
図１の（１Ａ）及び（１Ｂ）は、本発明に係るシート固定具２の斜視概略図であり、固定具本体４の一面１６に磁石体１８、１８が埋設され、固定具本体４の他面５には、係止手段６が嵌め込まれている。（１Ａ）は、磁石体１８、１８が埋設された固定具本体４の一面１６からシート固定具２を斜視した斜視概略図である。（１Ａ）に示すように、固定具本体４の一面１６には、物体の磁着部に磁着する１対の磁石体１８、１８が埋設され、固定具本体４の側面１２の所定位置１５から前記一面に亘って取外用凹部１４が４ヶ所設けられている。前記側面１２の所定位置１５は、前記固定具本体４の一面１６を物体に磁着させた状態で、前記取外用凹部１４に指が挿入できる程度の位置に設定される。
【００２６】
図１の（１Ｂ）は、係止手段６が設けられた固定具本体４の他面５からシート固定具２を斜視した斜視概略図である。（１Ｂ）に示すように、固定具本体４の他面５には、シートの一部を押し込んで係止させる係止手段６が嵌め込まれている。前記係止手段６は、弾力性を有する複数の係止片１０から形成されている。図１の係止手段６では、切れ込み８により分離された５つの係止片１０が形成されている。弾力性を有する係止片１０の間の切れ込み８にシートの一部を押し込むことにより、それらの復元力によってシートが係止片の間に挟持され、係止される。
【００２７】
図２は、本発明に係る磁石体１８の構成概略図である。（２Ａ）に示すように、磁石体１８は、永久磁石２０と磁石取付部材２２から構成され、前記磁石取付部材２２の底板２３から側方に突出する突起３６が４ヶ所設けられている。（２Ｂ）に示すように、前記永久磁石２０が前記磁石取付部材２２を構成する底板２３の取付面４６に磁着及び／又は固着される。前記永久磁石２０は、前記磁石取付部材２２の側壁２５に接着剤等により固着されることが好ましい。
（２Ｃ）に示すように、前記永久磁石２０から生じた磁界４８により、磁石取付部材２２の内部には磁気回路が形成され、物体の磁着部に作用する磁力を集中させる。即ち、前記永久磁石２０から生じる磁界４８が前記磁石取付部材２２の外側に漏れることが抑制され、前記磁石取付部材２２内の磁気回路に集中する。
【００２８】
図３は、本発明に係る固定具本体４における磁石体１８の埋設構造を示す概略図である。尚、図３において、固定具本体４は、前記埋設構造を明確に示すため、本体断面５２で切取り図示している。（３Ａ）に示す磁石体１８は、固定具本体４に設けられた埋設溝２１に埋設される。この埋設溝２１は上部に開放された小径埋設溝２７と埋設溝底面５０を有する大径埋設溝２９からなり、小径埋設溝２７の底位置から下方に段差面を介して大径埋設溝２９が形成されている。後述するように、前記段差面は、前記大径埋設溝２９の内方側に形成される嵌合溝２４の上面となる。
（３Ｃ）に示すように、前記磁石取付部材２２に設けられた同一側面にある２つの突起３６が前記嵌合溝２４に配置され、２つの突起３６が前記段差面に押接し、磁石体１８が取出し不能となっている。
【００２９】
図４は、本発明に係るシート固定具２の断面概略図である。（４Ａ）は、図１（１Ａ）のＡ−Ａ線断面図であり、固定具本体４における磁石体１８の埋設構造をより明確に示している。前述のように、埋設溝２１は、前記小径埋設溝２７の下方に段差面３１を介して大径埋設溝２９が連設されて形成されている。前記磁石取付部材２２の突起３６が両サイドの前記嵌合溝２４に配置され、両側面の突起３６が前記段差面３１に押接し、磁石体１８が取出し不能となっている。また、固体具本体４の他面５に形成された収容部２８には、係止手段６が嵌め込まれている。
（４Ｂ）は、図１（１Ａ）のＢ−Ｂ線断面図であり、収容部２８に係止手段６が嵌め込まれている。（４Ｃ）には、（４Ｂ）のシート固定具２に対して、シート３４の一部を押し込んだ際のＢ−Ｂ線断面図を示している。シート３４は、弾力性を有する係止片１０の間に挟持され、それらの復元力によって前記係止片１０の先端３２がシート３４に食い込み、シート３４が係止手段６によってロックされる。（４Ｃ）において、押し込まれたシート３４の一部は、シート３４の表面を摘んで突出させたものであるが、シート３４の端部を押し込んでも良い。
【００３０】
図５は、本発明に係るシート固定具２の製造工程を示した概略図である。（５Ａ）では、樹脂成形により、大径埋設溝２９と収容部２８が設けられた固定具本体部４ａが形成される。（５Ｂ）では、磁石取付部材２２に永久磁石２０が接着された磁石体１８が大径埋設溝２９に配設される。尚、前記永久磁石は２０は、磁石取付部材２２を大径埋設溝２９に配設した後に、又は磁石取付部材２２を固定具本体４に埋設した後に、永久磁石２０を磁石取付部材２２に接着させても良い。（５Ｃ）では、前記固定具本体部４ａの磁石体側に表面樹脂層４ｂが一体形成される。このとき、小径埋設溝２７が段差面３１を介して大径埋設溝２９に連設される。従って、大径埋設溝２９の内方には、段差面３１を含む嵌合溝２４が形成され、突起３６は嵌合溝２４の段差面３１に押接されて取出し不能となる。
（５Ｄ）おいて、収容部２８には、切れ込み８が設けられた係止片１０からなる係止手段６が嵌め込まれる。
【００３１】
図６は、本発明に係るシート固定具２の使用状態を示す概略図である。椅子６５に人６６が座り、テーブル５６にはスカート６０が形成されるようテーブルクロス６４が広げられている。テーブル５６の下面５７に磁着したシート固定具２には、図４の（４Ｃ）と同様に、テーブルクロス６４の一部が押し込められ係止されている。従って、テーブルクロス６４がスカート６０を有する場合に、テーブルクロス３４が床面５８にずれ落ちることがなく、テーブルクロス６４はシート固定具２によりテーブル５６に固定される。
【産業上の利用可能性】
【００３２】
本発明によれば、物体に簡単に取り付けることができ、且つシートを物体に簡単に固定することができ、更に、本体がシートの外側に露出することがないシート固定具を提供することができる。柔軟性を有するシート状のものであれば、金属等の磁着部を有する物体に種々のシートを固定することができ、例えば、テーブルクロスをテーブルに、自動車用のボディーカバーを自動車に固定することができる。
【符号の説明】
【００３３】
２        シート固定具
４        固定具本体
４ａ      固定具本体部
４ｂ      表面樹脂層
５        他面
６        係止手段
８        切れ込み
１０      係止片
１２      側面
１４      取外用凹部
１５      所定位置
１６      一面
１８      磁石体
２０      永久磁石
２１      埋設溝
２２      磁石取付部材
２３      底板
２４      嵌合溝
２５      側壁
２６      被磁着面
２７      小径埋設溝
２８      収容部
２９      大径埋設溝
３１      段差面
３２      先端
３４      シート
３６      突起
４６      取付面
４８      磁界
５０      埋設溝底面
５２      本体断面
５６      テーブル
５７      下面
５８      床面
６０      スカート
６２      一部
６４      テーブルクロス
６５      椅子
６６      人
１０２    止め具
１０６    ベリクロファスナ
１３４    テーブルクロス
１５６    テーブル
１６０    テーブルスカート
１６７    ベリクロファスナ
【図１】
2012200311.tif 000003
【図２】
2012200311.tif 000004
【図３】
2012200311.tif 000005
【図４】
2012200311.tif 000006
【図５】
2012200311.tif 000007
【図６】
2012200311.tif 000008
【図７】
2012200311.tif 000009